(57)【要約】【課題】部品点数を増やすことなく、ナットの緩みをしっかり抑えることが可能なバッテリー端子を提供する。【解決手段】バッテリー端子１０は、両突出部１２、１３にボルト８０の軸部８２を貫通させ、両突出部１２、１３のうち、頭部側突出部１２の外側にボルト８０の頭部８１を配置させ、ナット側突出部１３の外側にナット９０を配置させ、その状態で、ボルト８０の軸部８２にナット９０を締め付けることにより、締め付け部１１を縮径させてバッテリーポスト７０に固定される。突出部１２、１３が、締め付け部１１の端部から離れる方向に延びる第１片部２１と、第１片部２１の突出端に連なりつつ締め付け部１１側に折り返される折り返し部２３と、折り返し部２３の折り返し端から締め付け部１１側に延びる第２片部２２とからなり、さらに、折り返し部２３の内側には、クリアランス２５が形成されている。【選択図】図３
2013008589.tif 000002
【特許請求の範囲】
【請求項１】
導電性の金属板材からなり、
バッテリーポストの周りを取り囲む弧状の締め付け部と、
前記締め付け部の両端から互いに対向して突出する一対の突出部とを備え、
前記両突出部にボルトの軸部を貫通させ、前記両突出部のうち、一方の突出部の外側にボルトの頭部を配置させ、他方の突出部の外側にナットを配置させ、その状態で、前記ボルトの軸部に前記ナットを締め付けることにより、前記締め付け部を縮径させて前記バッテリーポストに固定されるバッテリー端子であって、
前記突出部が、前記締め付け部の端部から離れる方向に延びる第１片部と、前記第１片部の突出端に連なりつつ前記締め付け部側に折り返される折り返し部と、前記折り返し部の折り返し端から前記締め付け部側に延びる第２片部とからなり、前記ナットが締め付けられた状態で、前記ボルトの頭部と前記ナットとの間に前記第１、第２片部が弾性的に挟持されるものであり、前記折り返し部の内側に、クリアランスが形成されていることを特徴とするバッテリー端子。
【請求項２】
前記ナットが締め付けられた状態で、前記折り返し部の前記クリアランスが形成されていることを特徴とする請求項１記載のバッテリー端子。
【請求項３】
前記第１、第２片部及び前記折り返し部が、前記両突出部のいずれにも設けられていることを特徴とする請求項１又は２記載のバッテリー端子。
【請求項４】
前記第２片部が、前記第１片部の内外両側のうち、前記ナット又は前記ボルトの頭部が位置する側となる外側に配置されていることを特徴とする請求項１ないし３のいずれか１項記載のバッテリー端子。
【発明の詳細な説明】
【技術分野】
【０００１】
本発明は、バッテリー端子に関する。
【背景技術】
【０００２】
特許文献１に記載のバッテリー端子は、バッテリーポストの周りを取り囲む弧状の締め付け部と、締め付け部の両端から互いに対向して突出する一対の突出部とを備えている。両突出部には貫通孔が形成され、貫通孔にはボルトの軸部が挿入される。貫通孔に挿入された軸部にはナットが取り付けられ、ナットが回転されると、ナットとボルトの頭部とに両突出部が押圧されて互いに接近する方向に変位される。両突出部が接近するに伴い、締め付け部が縮径されてバッテリーポストに固定されるようになっている。
【先行技術文献】
【特許文献】
【０００３】
【特許文献１】特開２０１０−３３７８３号公報
【発明の概要】
【発明が解決しようとする課題】
【０００４】
ところで、上記従来のバッテリー端子では、ナットの緩みに起因して締め付け力が低下するおそれがあった。この場合、例えば、ナットと突出部との間にワッシャを介在させることも可能であったが、ワッシャを用意する分、部品点数が増加して管理が煩雑になるという事情があった。また、周知のワッシャでは充分なばね力を得ることができず、ナットの緩みをしっかり抑えることができない場合もあった。
【０００５】
本発明は上記のような事情に基づいて完成されたものであって、部品点数を増やすことなく、ナットの緩みをしっかり抑えることが可能なバッテリー端子を提供することを目的とする。
【課題を解決するための手段】
【０００６】
上記の目的を達成するための手段として、請求項１の発明は、導電性の金属板材からなり、バッテリーポストの周りを取り囲む弧状の締め付け部と、前記締め付け部の両端から互いに対向して突出する一対の突出部とを備え、前記両突出部にボルトの軸部を貫通させ、前記両突出部のうち、一方の突出部の外側にボルトの頭部を配置させ、他方の突出部の外側にナットを配置させ、その状態で、前記ボルトの軸部に前記ナットを締め付けることにより、前記締め付け部を縮径させて前記バッテリーポストに固定されるバッテリー端子であって、前記突出部が、前記締め付け部の端部から離れる方向に延びる第１片部と、前記第１片部の突出端に連なりつつ前記締め付け部側に折り返される折り返し部と、前記折り返し部の折り返し端から前記締め付け部側に延びる第２片部とからなり、前記ナットが締め付けられた状態で、前記ボルトの頭部と前記ナットとの間に前記第１、第２片部が弾性的に挟持されるものであり、前記折り返し部の内側に、クリアランスが形成されているところに特徴を有する。
【０００７】
請求項２の発明は、請求項１に記載のものにおいて、前記ナットが締め付けられた状態で前記折り返し部の前記クリアランスが形成されているところに特徴を有する。
【０００８】
請求項３の発明は、請求項１又は２に記載のものにおいて、前記第１、第２片部及び前記折り返し部が、前記両突出部のいずれにも設けられているところに特徴を有する。
【０００９】
請求項４の発明は、請求項１ないし３のいずれか１項に記載のものにおいて、前記第２片部が、前記第１片部の内外両側のうち、前記ナット又は前記ボルトの頭部が位置する側となる外側に配置されているところに特徴を有する。
【発明の効果】
【００１０】
＜請求項１の発明＞
ボルトの頭部とナットとの間に第１、第２片部が弾性的に挟持されるため、第１、第２片部のばね力によってナットの緩みが防止される。この場合に、ワッシャ等の別部材が不要とされるため、部品点数が増加するのが回避される。しかも、第１、第２片部間における折り返し部の内側にクリアランスが形成されているため、折り返し部がクリアランスの範囲で弾性変位可能となり、第１、第２片部のばね力が高められる結果、ナットの緩みが確実に防止される。
【００１１】
＜請求項２の発明＞
ナットが締め付けられた状態でも折り返し部のクリアランスが形成されているため、ナットの緩みがより確実に防止される。
【００１２】
＜請求項３の発明＞
第１、第２片部及び折り返し部が両突出部のいずれにも設けられているため、第１、第２片部のばね力がボルトの頭部とナットの双方に均等に付与される。その結果、ナットの緩みがより確実に防止される。
【００１３】
＜請求項４の発明＞
第２片部が、第１片部の内外両側のうち、ナット又はボルトの頭部が位置する側となる外側に配置されているため、折り返し部を支点とする第２片部のばね力がナット又はボルトの頭部に直接的に付与される。その結果、ナットの緩みがより確実に防止される。
【図面の簡単な説明】
【００１４】
【図１】本発明の実施形態１に係るバッテリー端子の締め付け前の平面図である。
【図２】バッテリー端子の締め付け前の正面図である。
【図３】バッテリー端子の締め付け後の平面図である。
【図４】バッテリー端子の締め付け後の正面図である。
【図５】バッテリー端子の締め付け後の側面図である。
【発明を実施するための形態】
【００１５】
＜実施形態１＞
本発明の実施形態１を図１ないし図５によって説明する。実施形態１に係るバッテリー端子１０は、導電性の金属板材を曲げ加工等して一体に成形されている。バッテリー端子１０には、ボルト８０及びナット９０が取り付けられる。ボルト８０は六角ボルトからなり、ナット９０は六角ナットからなる。
【００１６】
そして、バッテリー端子１０は、図１に示すように、電線（図示せず）が接続される電線接続部（図示せず）と、バッテリーポスト７０に取り付けられる締め付け部１１と、ボルト８０が貫通して装着される一対の突出部１２、１３とからなる。なお、バッテリーポスト７０は、図５に示すように、バッテリー本体６０の上面から突出する円錐台形状をなしている。
【００１７】
締め付け部１１は、図１に示すように、バッテリーポスト７０を包囲するように円弧状に回曲する形状とされ、図４に示すように、バッテリーポスト７０と対応する円錐台形状をなしている。この締め付け部１１は、後述する両突出部１２、１３の接近動作に伴って縮径変形させられ、図１及び図３に示すように、バッテリーポスト７０に遊嵌された状態から縮径されることにより、バッテリーポスト７０に固定される。
【００１８】
両突出部１２、１３は、締め付け部１１と一体に成形され、締め付け部１１の周方向の両端（両端開口縁）から互いに対向して突出する平板状の形態とされている。本実施形態の場合、両突出部１２、１３は、図４に示すように、上下方向にほぼ沿って配置されている。そして、両突出部１２、１３には、図１に示すように、ボルト８０の軸部８２が挿入される貫通孔１４が形成されている。
【００１９】
両突出部１２、１３のうち、一方の突出部はその外側面（両突出部１２、１３が互いに向き合う面（対向面）とは反対側の面）にボルト８０の頭部８１が配置される頭部側突出部１２とされ、他方の突出部はその外側面にナット９０が配置されるナット側突出部１３とされている。ボルト８０の軸部８２にナット９０が締め付けられると、ナット側突出部１３がナット９０で押圧されて頭部側突出部１２に接近するとともに、頭部側突出部１２がボルト８０の頭部８１で押圧されてナット側突出部１３側に接近するようになっている。
【００２０】
図２に示すように、ナット側突出部１３の下端部の先端側には、頭部側突出部１２の内側面（対向面）に向けて突出するナット側ストッパ１５が形成されている。頭部側突出部１２の上端部の先端側には、ナット側突出部１３の内側面に向けて突出する頭部側ストッパ１６が形成されている。ナット側ストッパ１５及び頭部側ストッパ１６は、ナット側突出部１３及び頭部側突出部１２の端部を折り曲げてなるものである。ナット側突出部１３及び頭部側突出部１２が過度に接近しようとすると、ナット側ストッパ１５が頭部側突出部１２の内側面に当接し、かつ頭部側ストッパ１６がナット側突出部１３の内側面に当接して、ナット９０による過度締めが阻止されるようになっている。
【００２１】
また、図１及び図２に示すように、ナット側突出部１３及び頭部側突出部１２の上下両端部の基端側には、規制片１７が外側に張り出して形成されている。各規制片１７は、ナット側突出部１３及び頭部側突出部１２の各基端側から締め付け部１１側に跨って屈曲しつつ延びる形状とされている。ボルト８０の頭部８１及びナット９０が各規制片１７に内側から当接することにより、これらの回転動作が規制されるようになっている。
【００２２】
さて、両突出部１２、１３は、図１に示すように、第１片部２１と、第１片部２１に対してボルト８０の挿入方向で並列に配置される第２片部２２と、第１、第２片部２１、２２同士をつなげる折り返し部２３とからなる。第１片部２１は、締め付け部１１の端部から外側（締め付け部１１から離れる側であって締め付け部１１の径方向外側）にほぼ真直ぐ延びる平板形状とされている。上記のナット側ストッパ１５、頭部側ストッパ１６、及び各規制片１７は、第１片部２１に形成されている。
【００２３】
第２片部２２は、第１片部２１の突出端側から折り返し部２３を介して折り返されて締め付け部１１側にほぼ真直ぐ延びる平板形状とされている。図５に示すように、第２片部２２の板幅（上下寸法）は、第１片部２１の板幅より小さくされている。図１に示すように、第２片部２２の先端は、第１片部２１の基端とほぼ同じ位置に配置され、締め付け部１１の外周面の近傍に配置されている。また、第２片部２２は、第１片部２１の外側（ボルト８０の頭部８１又はナット９０の位置する側）に配置され、図１に示すように、締め付け前の状態では第１片部２１とほぼ平行に配置されている。なお、貫通孔１４は、第１、第２片部２１、２２を同軸で貫通する形態とされ、図２に示すように、第１片部２１の内側面における貫通孔１４の孔周りには、周方向の全周に亘ってボス部２４が立ち上げ形成されている。
【００２４】
折り返し部２３は、図１に示すように、断面Ｕ字形に回曲する形状とされ、第１片部２１の先端と第２片部２２の基端とに連なる形状とされている。そして、折り返し部２３の内側には、断面Ｕ字形状のクリアランス２５が形成されている。折り返し部２３のクリアランス２５は、図１及び図３に示すように、締め付け前の状態から締め付け後にかけて徐々に減少するものの、締め付け後においても残存している。つまり、折り返し部２３は、締め付け前後でその回曲形状（アール形状）を維持している。このため、締め付け前後において、第１片部２１の先端と第２片部２２の基端とが互いに当たり合うことはない。
【００２５】
次に、本実施形態に係るバッテリー端子１０の作用を説明する。
バッテリー端子１０の組み立てに際し、図１及び図２に示すように、ボルト８０の軸部８２が貫通孔１４に貫通させられ、ボルト８０の頭部８１が頭部側突出部１２の外側面に当接させられるとともに、ボルト８０の軸部８２にナット９０が緩くねじ込まれることで、ナット９０がナット側突出部１３の外側面に当接させられる。このとき、第２片部２２には頭部８１及びナット９０が当接するものの、ナット９０の締め付け力は未だ付与されていない。したがって、折り返し部２３はほぼ自然状態に保たれ、第１、第２片部２１、２２は互いにほぼ平行した状態を維持する。また、締め付け部１１は、バッテリーポスト７０に外嵌された状態となる。
【００２６】
続いて、ナット９０がボルト８０の軸周りに回転させられる。ナット９０の回転が進むと、ナット側突出部１３がナット９０で押圧されて頭部側突出部１２側に変位するとともに、頭部側突出部１２が頭部８１で押圧されてナット側突出部１３側に変位する。こうしてナット側突出部１３及び頭部側突出部１２が互いに接近すると、それに伴って締め付け部１１が縮径変形させられ、バッテリー端子１０がバッテリーポスト７０に導通可能に固定される。
【００２７】
また、ナット９０の回転に伴い、ナット側突出部１３及び頭部側突出部１２がそれぞれ押圧されると、クリアランス２５が減少しつつ第２片部２２が第１片部２１に近づく方向に弾性的に変形させられる。したがって、図３に示すように、ナット９０の締め付け後、ボルト８０の頭部８１及びナット９０には、折り返し部２３を撓み支点とする第２片部２２からの弾性反力（ばね力）が付与され、頭部８１と第２片部２２との間及びナット９０と第２片部２２との間が緊密に当接させられる。したがって、ボルト８０に対するナット９０の緩みが確実に防止されることになる。
【００２８】
以上説明したように、本実施形態によれば、ボルト８０の頭部８１とナット９０との間に第１、第２片部２１、２２が弾性的に挟持されるため、第１、第２片部２１、２２のばね力によってナット９０の緩みが防止される。この場合に、ワッシャ等の別部材が不要とされるため、部品点数が増加するのが回避される。しかも、第１、第２片部２１、２２間における折り返し部２３の内側にクリアランス２５が形成されているため、折り返し部２３がクリアランス２５の範囲で弾性変位可能となり、第１、第２片部２１、２２のばね力が高められる結果、ナット９０の緩みが確実に防止される。
【００２９】
また、ナット９０が締め付けられた状態でも折り返し部２３のクリアランス２５が形成されているため、ナット９０の緩みがより確実に防止される。さらに、第１、第２片部２１、２２及び折り返し部２３が両突出部１２、１３のいずれにも設けられているため、第１、第２片部２１、２２のばね力がボルト８０の頭部８１とナット９０の双方に均等に付与される。その結果、ナット９０の緩みがより確実に防止される。
【００３０】
さらにまた、第２片部２２が、第１片部２１の内外両側のうち、ナット９０又はボルト８０の頭部８１が位置する側となる外側に配置されているため、折り返し部２３を支点とする第２片部２２のばね力がナット９０又はボルト８０の頭部８１に直接的に付与される。その結果、ナット９０の緩みがより確実に防止される。
【００３１】
＜他の実施形態＞
本発明は上記記述及び図面によって説明した実施形態に限定されるものではなく、例えば次のような実施形態も本発明の技術的範囲に含まれる。
（１）両突出部のうちのいずれか一方の突出部から折り返し部及び第２片部を省略することができる。
（２）第２片部が、第１片部の内外両側のうち、ボルトの頭部及びナットの位置する側とは反対側となる内側に配置されるものであってもよい。
（３）ボルトの頭部と頭部側突出部との間に、又はナットとナット側突出部との間に、ワッシャが介在するものであってもよい。
（４）第１、第２突出部が上下方向に対して斜めに配置されるものであってもよい。
【符号の説明】
【００３２】
１０…バッテリー端子
１１…締め付け部
１２…頭部側突出部（一方の突出部）
１３…ナット側突出部（他方の突出部）
１４…貫通孔
２１…第１片部
２２…第２片部
２３…折り返し部
２５…クリアランス
７０…バッテリーポスト
８０…ボルト
８１…頭部
９０…ナット
【図１】
2013008589.tif 000003
【図２】
2013008589.tif 000004
【図３】
2013008589.tif 000005
【図４】
2013008589.tif 000006
【図５】
2013008589.tif 000007